(57)【要約】【課題】  電磁ノイズにより画像表示に異常が発生する虞が少ない表示装置を提供する。【解決手段】  表示パネル１１は、画像を表示する。駆動回路１２は、表示パネル１１を駆動する。保護パネル部材２０，９０は、画像を透視可能である。表示パネル１１は透明接着剤１５にて保護パネル部材２０，９０に密着されている。保護パネル部材２０，９０は、駆動回路１２を電磁ノイズから保護するシールド層２３，９３を有する。シールド層２３，９３は、導電性インクからなるものである。駆動回路１２は、表示パネル１１に電気的に接続された可撓性配線部材１３に搭載されている。【選択図】  図１
2015152681.tif 000002
【特許請求の範囲】
【請求項１】
画像を表示する表示パネルと、前記表示パネルを駆動する駆動回路と、前記画像を透視可能な保護パネル部材と、を備え、前記表示パネルが透明接着剤にて前記保護パネル部材に密着された表示装置であって、
前記保護パネル部材は、前記駆動回路を電磁ノイズから保護するシールド層を有することを特徴とする表示装置。
【請求項２】
前記シールド層は、導電性インクからなることを特徴とする請求項１に記載の表示装置。
【請求項３】
前記駆動回路は、前記表示パネルに電気的に接続された可撓性配線部材に搭載されていることを特徴とする請求項１に記載の表示装置。
【請求項４】
前記シールド層をグランドラインに接続する接続部材を更に備えたことを特徴とする請求項１に記載の表示装置。
【発明の詳細な説明】
【技術分野】
【０００１】
液晶表示パネル等の表示パネルを備えた表示装置に関するものである。
【背景技術】
【０００２】
従来の表示装置は、例えば、特許文献１に開示されるものがある。斯かる表示装置は、平坦な表示面を有する表示パネルの有効表示領域の周囲の額縁状の非表示領域に対応させてスペーサとなる外枠部材を配置し、裏面に偏光板が貼着され、偏光板との間に光の透過を遮断する遮光材料が形成された透明な材料からなる保護板と、外枠部材と、表示パネルの表示面とにより形成される空間内に隙間無く充填された透明な接着剤充填層を形成するものである。
【先行技術文献】
【特許文献】
【０００３】
【特許文献１】特許第５３３８４０７号公報
【発明の概要】
【発明が解決しようとする課題】
【０００４】
しかしながら、保護板と表示パネルの表示面との間に透光性樹脂層を形成するために、通常の画像表示装置では液晶表示パネルの前面で画像表示範囲の外周に配置される金属枠をあらかじめ取り除いてあることから、金属枠を取り外す弊害として、周辺機器から発生する電磁ノイズにより、ＴＦＴ駆動の信号ラインに誤動作が発生し、画像表示に異常が発生する虞があった。
本発明は、この課題を解消するため、電磁ノイズにより画像表示に異常が発生する虞が少ない表示装置を提供するものである。
【課題を解決するための手段】
【０００５】
本発明は、画像を表示する表示パネル１１と、前記表示パネル１１を駆動する駆動回路１２と、前記画像を透視可能な保護パネル部材２０，９０と、を備え、前記表示パネル１１が透明接着剤１５にて前記保護パネル部材２０，９０に密着された表示装置であって、前記保護パネル部材２０，９０は、前記駆動回路１２を電磁ノイズから保護するシールド層２３，９３を有するものである。
【０００６】
また、本発明は、前記シールド層２３，９３は、導電性インクからなるものである。
【０００７】
また、本発明は、前記駆動回路１２は、前記表示パネル１１に電気的に接続された可撓性配線部材１３に搭載されているものである。
【０００８】
また、本発明は、前記シールド層２３，９３をグランドライン４２に接続する接続部材６０を更に備えたものである。
【発明の効果】
【０００９】
シールド層にて駆動回路を保護することができ、電磁ノイズによって画像表示に異常が発生する虞が少ない。
【図面の簡単な説明】
【００１０】
【図１】本発明の第一実施形態を示す断面図。
【図２】同上実施形態を示す正面図。
【図３】同上実施形態を示す接続部材の説明図。
【図４】本発明の第二実施形態を示す断面図。
【発明を実施するための形態】
【００１１】
以下、添付図面に基づいて、本発明の一実施形態を説明する。図１乃至図３は、第一実施形態を示すものである。車両用表示装置は、液晶表示器１０，カバープレート２０，ケース３０，回路基板４０，バックライトモジュール５０等を備えている。
【００１２】
液晶表示器１０は、液晶表示パネル１１，駆動回路１２，可撓性配線部材１３を有しており、車両速度等の車両情報を表示する。液晶表示パネル１１は、透明電極が形成された一対のガラス基板に液晶を封入したＴＦＴ型液晶パネルの前後両面に偏光板を貼着したものである。可撓性配線部材１３の一端は液晶表示パネル１１に電気的に接続され、可撓性配線部材１３の他端は回路基板４０に電気的に接続されている。
【００１３】
可撓性配線部材１３には、液晶表示パネル１１を駆動する駆動回路１２が搭載されている。液晶表示器１０の駆動回路１２は、カバープレート２０の後側に位置している。液晶表示パネル１１は、透明接着剤１５にてオプティカルボンディングされており、カバープレート２０の後面に密着されている。透明接着剤１５は、アクリル系またはシリコン系の光硬化型接着剤である。透明接着剤１５の屈折率は、透光性基板２１の屈折率に近いことが望ましい。
【００１４】
カバープレート２０は、平板形状の透明な無機ガラスからなる透光性基板２１と、この透光性基板２１の後面に形成された黒色印刷層からなる遮光層２２と、この遮光層２２の後面に形成されたＡｇ，Ｎｉ，Ｃｕ等の金属を含む導電性インクからなるシールド層２３とを有している。カバープレート２０の遮光層２２には、液晶表示パネル１１の画像を視認可能にする矩形の窓部２２ａが形成されている。
【００１５】
カバープレート２０のシールド層２３は、窓部２２ｂの一辺に沿うように帯状に印刷形成されている。カバープレート２０のシールド層２３は、液晶表示器１０の駆動回路１２を電磁ノイズから保護するものであり、正面視で駆動回路１２を覆うように設けられている。シールド層２３は、厚さが１０μｍ〜１００μｍ、表面抵抗値が１００ｍΩ／ｓｑ以下であることが望ましく、反射損失，吸収損失により広い周波数帯の電磁ノイズに対するシールド効果を高めることができる。
【００１６】
ケース３０は、ＰＣ，ＡＥＳ等の樹脂からなるものである。ケース３０内の空間には、液晶表示器１０，回路基板４０，バックライトモジュール５０が収容されている。ケース３０は、保護パネル２０の外周を背後から支持するフランジ部３１を有している。回路基板４０は、ガラスエポキシ樹脂からなる基材に銅箔からなる配線パターンを形成したものである。回路基板４０には、可撓性配線部材１３の他端が接続されるコネクタ４１が搭載されている。
【００１７】
バックライトモジュール５０は、発光素子５１，導光板５２，ケース体５３，フレーム５４を有しており、液晶表示パネル１１を透過照明する。発光素子５１は、発光ダイオードからなるものであり、導光板５２の側端面に照明光を照射する。導光板５２は、透明な樹脂からなるものであり、正面視で矩形の平板形状になっている。ケース体５３は、アルミニウム等の金属からなるものであり、発光素子５１，導光板５２を収容する。フレーム５４は、不透明な樹脂からなるものであり、照明光が出射する開口が形成されている。液晶表示パネル１１は、フレーム５４の前面に、両面粘着テープにて貼着されている。
【００１８】
接続部材６０は、スポンジからなる弾性部材６１の周囲に金属メッシュからなる導通部材６２を設けたものであり、カバープレート２０のシールド層２３と回路基板４０のグランドライン４２とを電気的に接続し、シールド層２３を接地（アース）させる。防水パッキン７０は、カバープレート２０の側端面を覆うように、カバープレート２０の外周を覆っている。カバープレート２０は、防水パッキン７０を介して、金属からなる枠体８０によって固定されている。
【００１９】
図４は、第二実施形態を示すものである。車両用表示装置は、液晶表示器１０，カバープレート９０，ケース３０，回路基板４０，バックライトモジュール５０等を備えている。
【００２０】
液晶表示器１０は、液晶表示パネル１１，駆動回路１２，可撓性配線部材１３を有しており、車両速度等の車両情報を表示する。液晶表示パネル１１は、透明電極が形成された一対のガラス基板に液晶を封入したＴＦＴ型液晶パネルの前後両面に偏光板を貼着したものである。液晶表示パネル１１は、可撓性配線部材１３によって、回路基板４０と電気的に接続されている。可撓性配線部材１３には、液晶表示パネル１１を駆動する駆動回路１２が搭載されている。液晶表示パネル１１は、透明接着剤１５にてオプティカルボンディングされており、カバープレート２０の後面に密着されている。透明接着剤１５は、光硬化型の接着剤である。
【００２１】
カバープレート９０は、透光性基板９１，ベースフィルム９５，遮光層９２，シールド層９３，粘着層９６を有している。透光性基板９１は、平板形状の透明な無機ガラスからなるものである。ベースフィルム９５はＰＥＴ，ＰＭＭＡ等の透明フィルムからなり、ベースフィルム９５の後面に遮光層２２が印刷形成されている。シールド層９３は、Ａｇ，Ｎｉ，Ｃｕ等の金属を含む導電性インクからなるものであり、遮光層２２の後面にスクリーン印刷されている。シールド層９３は、厚さが１０μｍ〜１００μｍ、表面抵抗値が１００ｍΩ／ｓｑ以下であることが望ましく、反射損失，吸収損失により広い周波数帯の電磁ノイズに対するシールド効果を高めることができる。
【００２２】
カバープレート９０の遮光層９２には、液晶表示パネル１１の画像を視認可能にする矩形の窓部９２ａが形成されている。カバープレート９０のシールド層９３は、窓部９２ａの一辺に沿うように帯状に印刷形成されている。カバープレート９０のシールド層９３は、液晶表示器１０の駆動回路１２を電磁ノイズから保護するものであり、正面視で駆動回路１２を覆うように、遮光層９２の後面に設けられている。
【００２３】
ケース３０は、ＰＣ，ＡＥＳ等の樹脂からなるものである。ケース３０内の空間には、液晶表示器１０，回路基板４０，バックライトモジュール５０が収容されている。ケース３０は、保護パネル２０の外周を背後から支持するフランジ部３１を有している。回路基板４０は、ガラスエポキシ樹脂からなる基材に銅箔からなる配線パターンを形成したものである。回路基板４０には、可撓性配線部材１３が接続されるコネクタ４１が搭載されている。
【００２４】
バックライトモジュール５０は、発光素子５１，導光板５２，ケース体５３，フレーム５４を有しており、液晶表示パネル１１を透過照明する。発光素子５１は、発光ダイオードからなるものであり、導光板５２の側端面に照明光を照射する。導光板５２は、透明な樹脂からなるものであり、正面視で矩形の平板形状になっている。ケース体５３は、アルミニウム等の金属からなるものであり、発光素子５１，導光板５２を収容する。フレーム５４は、不透明な樹脂からなるものであり、照明光が出射する開口が形成されている。液晶表示パネル１１は、フレーム５４の前面に、両面粘着テープにて貼着されている。
【００２５】
防水パッキン７０は、カバープレート２０の側端面を覆うように、カバープレート２０の外周を覆っている。カバープレート２０は、防水パッキン７０を介して、金属からなる枠体８０によって固定されている。
【００２６】
第一，第二実施形態によれば、カバープレート２０，９０のシールド層２３，９３にて駆動回路１２が保護されており、電磁ノイズの影響を受け難い。また、シールド層２３，９３は遮光層２２，９２の後面に形成されているので、シールド層２３，９３が視認されることがなく、車両用表示装置の外観が損なわれることがない。
【００２７】
なお、本発明は、第一，第二実施形態に限定されるものではなく、種々の変形が可能である。例えば、表示パネルは有機ＥＬパネルであっても良い。また、接続部材６０は、金属製の板バネであっても良い。また、カバープレート２０，９０に加飾印刷層を設けても良い。また、シールド層２３，９３は、窓部２２ａ，９２ａを囲むように形成しても良い。また、駆動回路１２は、液晶表示パネル１１のガラス基板に搭載されたものであっても良い。つまり、第一，第二実施形態の液晶表示パネル１１は、ＣＯＦ（Chip On Film）であったが、ＣＯＧ（Chip On Glass）であっても良い。
【符号の説明】
【００２８】
１０    液晶表示器
１１    液晶表示パネル（表示パネル）
１２    駆動回路
１３    可撓性配線部材
１５    透明接着剤
２０    カバープレート（保護パネル部材）
２２ａ  窓部
２３    シールド層
４０    回路基板
４２    グランドライン
９０    カバープレート（保護パネル部材）
９２ａ  窓部
９３    シールド層
【図１】
2015152681.tif 000003
【図２】
2015152681.tif 000004
【図３】
2015152681.tif 000005
【図４】
2015152681.tif 000006